【手続補正書】
【提出日】平成18年8月17日(2006.8.17)
【手続補正１】
【補正対象書類名】特許請求の範囲
【補正対象項目名】全文
【補正方法】変更
【補正の内容】
【特許請求の範囲】
【請求項１】
血液サンプルを保持するサンプルチャンバ、
前記サンプルチャンバ内の血液に超音波パルスを発するための超音波パルスジェネレー
タ、
前記血液サンプルから１以上の反射超音波信号を送受信するための少なくとも１つのト
ランスデューサ、
超音波特性を測定するための受信機、
測定した物理的パラメータに基づいて、ＨＣＴ、ＨＧＢ、ＭＣＶ、ＲＢＣ、ＭＣＨ、Ｍ
ＣＨＣ及びＴＰＣからなる群からの血液の１以上の臨床パラメータを算出するプロセッサ
を含む血液の臨床パラメータの測定装置。
【請求項２】
受信機が、９５％の信頼区間で読取値＋／−７％より良好にＨＣＴ及び／又はＨＧＢを
測定する請求項１の血液の臨床パラメータの測定装置。
【請求項３】
超音波特性が、さらに、（ａ）血液サンプルからの後方散乱、（ｂ）血液サンプルを通
る超音波パルスの減衰及び（ｃ）血液サンプルを通る音速を含む群からの物理的パラメー
タを含む請求項１の血液の臨床パラメータの測定装置。
【請求項４】
サンプルチャンバは血液サンプル１ｍｌ未満を含む大きさである請求項１の血液の臨床
パラメータの測定装置。
【請求項５】
超音波パルスジェネレータは、サンプルチャンバ内の血液に少なくとも６ＭＨｚの周波
数の超音波信号を発する請求項１の血液の臨床パラメータの測定装置。
【請求項６】
超音波パルスジェネレータはサンプルチャンバ内の血液に約１０ＭＨｚの周波数の超音
波信号を発する請求項１の血液の臨床パラメータの測定装置。
【請求項７】
少なくとも１つのトランスディーサは、複数のエコー又は複数の信号パスをセンスし、
受信機は、移行遅延又は他の遅延をなくすために、前記複数のエコー又は複数の信号のタ
イム・オブ・フライトを測定する請求項１の血液の臨床パラメータの測定装置。
【請求項８】
さらに温度センサを含む請求項１の血液の臨床パラメータの測定装置。
【請求項９】
温度センサが血液に直接接触しないものである請求項８の血液の臨床パラメータの測定
装置。
【請求項１０】
プロセッサは、間接的な温度測定を補償し、該補償された温度測定に従って臨床パラメ
ータを調節する請求項９の血液の臨床パラメータの測定装置。
【請求項１１】
サンプルチャンバが少なくとも１つの可撓性の壁を有する請求項１の血液の臨床パラメ
ータの測定装置。
【請求項１２】
サンプルチャンバが血液サンプルを採取する採取手段を含む請求項１の血液の臨床パラ
メータの測定装置。
【請求項１３】
採取手段が毛細管血のサンプルを採取する請求項１２の血液の臨床パラメータの測定装
置。
【請求項１４】
サンプルチャンバ及び／又は採取手段が、毛管現象によって血液サンプルを採取する請
求項１の血液の臨床パラメータの測定装置。
【請求項１５】
トランスディーサが、サンプルチャンバの壁に、直接的に音響結合されている請求項１
の血液の臨床パラメータの測定装置。
【請求項１６】
トランスディーサがサンプルチャンバの壁に取り付けられてなる請求項１の血液の臨床
パラメータの測定装置。
【請求項１７】
トランスディーサが、迷反射によって生じるコヒーレント・ノイズを回避する収束され
た又は細いビーム幅トランスディーサである請求項１の血液の臨床パラメータの測定装置
。
【請求項１８】
細いビーム幅トランスディーサが、超音波ジェネレータのそれに対応する搬送周波数を
有してなる請求項１の血液の臨床パラメータの測定装置。
【請求項１９】
少なくとも１つのトランスディーサが一対のトランスディーサを含む請求項１の血液の
臨床パラメータの測定装置。
【請求項２０】
受信機は、トランスディーサの励起から前記受信機で受信した信号の検出時間までの時
間を直接測定することによって、血液サンプルを通った音速を測定する請求項１の血液の
臨床パラメータの測定装置。
【請求項２１】
プロセッサは、フーリエ又は他のスペクトル変換を適用することによって血液の臨床パ
ラメータを算出する請求項１の血液の臨床パラメータの測定装置。
【請求項２２】
持ち運び可能で、携帯用のバッテリーをさらに含む請求項１の血液の臨床パラメータの
測定装置。
【請求項２３】
１ｍｌ未満の血液サンプルを含む大きさのサンプルチャンバ、
前記サンプルチャンバ内の血液に所定の周波数の超音波パルスを発するための超音波パ
ルスジェネレータ、
前記血液サンプルに及び血液サンプルから、１以上の超音波信号及び反射信号それぞれ
を送受信するための少なくとも１つのトランスデューサ、
１以上の反射信号から物理的パラメータを測定するための受信機、及び
測定した物理的パラメータに基づいて、ＨＣＴ、ＨＧＢ、ＭＣＶ、ＲＢＣ、ＭＣＨ、Ｍ
ＣＨＣ及びＴＰＣからなる群からの血液の１以上の臨床パラメータを算出するプロセッサ
を含む血液の臨床パラメータの測定装置。
【請求項２４】
超音波パルスジェネレータは、サンプルチャンバ内の血液に少なくとも６ＭＨｚの周波
数の超音波信号を発する請求項２３の血液の臨床パラメータの測定装置。
【請求項２５】
物理的パラメータが、（ａ）血液サンプルからの後方散乱、（ｂ）血液サンプルを通る
超音波パルスの減衰及び（ｃ）血液サンプルを通る音速からなる群からのいずれか１つか
らなる１以上の反射信号から受信機よって測定される請求項２３の血液の臨床パラメータ
の測定装置。
【請求項２６】
超音波パルスジェネレータはサンプルチャンバ内の血液に約１０ＭＨｚの周波数の超音
波信号を発する請求項２５の血液の臨床パラメータの測定装置。
【請求項２７】
少なくとも１つのトランスディーサは、複数のエコー又は複数の信号パスをセンスし、
受信機は、移行遅延又は他の遅延をなくすために、前記複数のエコー又は複数の信号のタ
イム・オブ・フライトを測定する請求項２３の血液の臨床パラメータの測定装置。
【請求項２８】
さらに温度センサを含む請求項２３の血液の臨床パラメータの測定装置。
【請求項２９】
温度センサが血液に直接接触しないものである請求項２３の血液の臨床パラメータの測
定装置。
【請求項３０】
プロセッサは、間接的な温度測定を補償し、該補償された温度測定に従って臨床パラメ
ータを調節する請求項２９の血液の臨床パラメータの測定装置。
【請求項３１】
サンプルチャンバが少なくとも１つの可撓性の壁を有する請求項２３の血液の臨床パラ
メータの測定装置。
【請求項３２】
受信機が、９５％の信頼区間で読取値＋／−７％より良好にＨＣＴ及び／又はＨＧＢを
測定する請求項２３の血液の臨床パラメータの測定装置。
【請求項３３】
サンプルチャンバ及び／又は採取手段が、毛管現象によって血液サンプルを採取する請
求項２３の血液の臨床パラメータの測定装置。
【請求項３４】
トランスディーサが、サンプルチャンバの壁に、直接的に音響結合されている請求項２
３の血液の臨床パラメータの測定装置。
【請求項３５】
トランスディーサが、迷反射によって生じるコヒーレント・ノイズを回避する収束され
た又は細いビーム幅トランスディーサである請求項２３の血液の臨床パラメータの測定装
置。
【請求項３６】
細いビーム幅トランスディーサが、超音波ジェネレータのそれに対応する搬送周波数を
有してなる請求項２３の血液の臨床パラメータの測定装置。
【請求項３７】
少なくとも１つのトランスディーサが一対のトランスディーサを含む請求項２３の血液
の臨床パラメータの測定装置。
【請求項３８】
受信機は、トランスディーサの励起から前記受信機で受信した信号の検出時間までの時
間を直接測定することによって、血液サンプルを通った音速を測定する請求項２３の血液
の臨床パラメータの測定装置。
【請求項３９】
プロセッサは、フーリエ又は他のスペクトル変換を適用することによって血液の臨床パ
ラメータを算出する請求項２３の血液の臨床パラメータの測定装置。
【請求項４０】
持ち運び可能で、携帯用のバッテリーをさらに含む請求項２３の血液の臨床パラメータ
の測定装置。
【請求項４１】
血液サンプルを保持するサンプルチャンバ、
前記サンプルチャンバ内の血液に超音波パルスを発するための超音波パルスジェネレー
タ、
前記血液サンプルから１以上の反射超音波信号を送信し、かつ血液サンプルから１以上
の反射超音波信号を受信するための少なくとも１つの超音波トランスデューサ、
超音波信号から、物理的パラメータを測定するための受信機、及び
測定した物理的パラメータから血液サンプル中のヘモグロビン濃度を算出するプロセッ
サ
を含む血液のヘモグロビン濃度の測定装置。
【請求項４２】
受信機が、（ａ）血液サンプルからの後方散乱、（ｂ）血液サンプルを通る超音波パル
スの減衰及び（ｃ）血液サンプルを通る音速を含む群からのいずれか1つを測定する請求
項４１のヘモグロビン濃度の測定装置。
【請求項４３】
受信機がサンプルチャンバ中の血液サンプルを通る音速を測定する請求項４１のヘモグ
ロビン濃度の測定装置。
【請求項４４】
受信機が、９５％の信頼区間で読取値＋／−７％より良好にＨＣＴ及び／又はＨＧＢを
測定する請求項４１のヘモグロビン濃度の測定装置。
【請求項４５】
サンプルチャンバは血液サンプル１ｍｌ未満を含む大きさである請求項４１のヘモグロ
ビン濃度の測定装置。
【請求項４６】
超音波パルスジェネレータは、サンプルチャンバ内の血液に少なくとも６ＭＨｚの周波
数の超音波信号を発する請求項４１のヘモグロビン濃度の測定装置。
【請求項４７】
超音波パルスジェネレータはサンプルチャンバ内の血液に約１０ＭＨｚの周波数の超音
波信号を発する請求項４１のヘモグロビン濃度の測定装置。
【請求項４８】
少なくとも１つのトランスディーサは、複数のエコー又は複数の信号パスをセンスし、
受信機は、移行遅延又は他の遅延をなくすために、前記複数のエコー又は複数の信号のタ
イム・オブ・フライトを測定する請求項４１のヘモグロビン濃度の測定装置。
【請求項４９】
さらに温度センサを含む請求項４１の血液の臨床パラメータの測定装置。
【請求項５０】
温度センサが血液に直接接触しないものである請求項４１の血液の臨床パラメータの測
定装置。
【請求項５１】
プロセッサは、間接的な温度測定を補償し、該補償された温度測定に従って臨床パラメ
ータを調節する請求項５０の血液の臨床パラメータの測定装置。
【請求項５２】
サンプルチャンバが少なくとも１つの可撓性の壁を有する請求項４１の血液の臨床パラ
メータの測定装置。
【請求項５３】
トランスディーサが、サンプルチャンバの壁に、直接的に音響結合されている請求項４
１の血液の臨床パラメータの測定装置。
【請求項５４】
細いビーム幅トランスディーサが、超音波ジェネレータのそれに対応する搬送周波数を
有してなる請求項４１の血液の臨床パラメータの測定装置。
【請求項５５】
少なくとも１つのトランスディーサが一対のトランスディーサを含む請求項４１の血液
の臨床パラメータの測定装置。
【請求項５６】
受信機は、トランスディーサの励起から前記受信機で受信した信号の検出時間までの時
間を直接測定することによって、血液サンプルを通った音速を測定する請求項４１の血液
の臨床パラメータの測定装置。
【請求項５７】
プロセッサは、フーリエ又は他のスペクトル変換を適用することによって血液の臨床パ
ラメータを算出する請求項４１の血液の臨床パラメータの測定装置。
【請求項５８】
持ち運び可能で、携帯用のバッテリーをさらに含む請求項４１の血液の臨床パラメータ
の測定装置。
【請求項５９】
血液サンプルを保持するサンプルチャンバ、
前記サンプルチャンバ内の血液に超音波パルスを発するための超音波パルスジェネレー
タ、
前記血液サンプルから１以上の反射超音波信号を送受信するための少なくとも１つのト
ランスデューサ、
超音波信号から物理的パラメータを測定するための受信機、
測定した物理的パラメータから血液サンプル中のヘマトクリットを算出するプロセッサ
を含む血液のヘマトクリットの測定装置。
【請求項６０】
受信機が、（ａ）血液サンプルからの後方散乱、（ｂ）血液サンプルを通る超音波パル
スの減衰及び（ｃ）血液サンプルを通る音速を含む群からのいずれか１つを測定する請求
項５９の血液のヘマトクリットの測定装置。
【請求項６１】
受信機が、サンプルチャンバ中の血液サンプルを通して音速を測定する請求項５９の血
液のヘマトクリットの測定装置。
【請求項６２】
受信機が、９５％の信頼区間で読取値＋／−７％より良好にＨＣＴ及び／又はＨＧＢを
測定する請求項５９の血液のヘマトクリットの測定装置。
【請求項６３】
サンプルチャンバは血液サンプル１ｍｌ未満を含む大きさである請求項５９の血液のヘ
マトクリットの測定装置。
【請求項６４】
超音波パルスジェネレータは、サンプルチャンバ内の血液に少なくとも６ＭＨｚの周波
数の超音波信号を発する請求項５９の血液のヘマトクリットの測定装置。
【請求項６５】
超音波パルスジェネレータはサンプルチャンバ内の血液に約１０ＭＨｚの周波数の超音
波信号を発する請求項５９の血液のヘマトクリットの測定装置。
【請求項６６】
少なくとも１つのトランスディーサは、複数のエコー又は複数の信号パスをセンスし、
受信機は、移行遅延又は他の遅延をなくすために、前記複数のエコー又は複数の信号のタ
イム・オブ・フライトを測定する請求項５９の血液のヘマトクリットの測定装置。
【請求項６７】
さらに温度センサを含む請求項５９の血液の臨床パラメータの測定装置。
【請求項６８】
温度センサが血液に直接接触しないものである請求項６６の血液の臨床パラメータの測
定装置。
【請求項６９】
プロセッサは、間接的な温度測定を補償し、該補償された温度測定に従って臨床パラメ
ータを調節する請求項６６の血液の臨床パラメータの測定装置。
【請求項７０】
サンプルチャンバが少なくとも１つの可撓性の壁を有する請求項５９の血液の臨床パラ
メータの測定装置。
【請求項７１】
トランスディーサが、サンプルチャンバの壁に、直接的に音響結合されている請求項５
８の血液の臨床パラメータの測定装置。
【請求項７２】
細いビーム幅トランスディーサが、超音波ジェネレータのそれに対応する搬送周波数を
有してなる請求項５９の血液の臨床パラメータの測定装置。
【請求項７３】
少なくとも１つのトランスディーサが一対のトランスディーサを含む請求項５９の血液
の臨床パラメータの測定装置。
【請求項７４】
受信機は、トランスディーサの励起から前記受信機で受信した信号の検出時間までの時
間を直接測定することによって、血液サンプルを通った音速を測定する請求項５９の血液
の臨床パラメータの測定装置。
【請求項７５】
プロセッサは、フーリエ又は他のスペクトル変換を適用することによって血液の臨床パ
ラメータを算出する請求項５９の血液の臨床パラメータの測定装置。
【請求項７６】
持ち運び可能で、携帯用のバッテリーをさらに含む請求項５９の血液の臨床パラメータ
の測定装置。
【請求項７７】
さらに、毛細管血のサンプルを採取する採取手段を含む請求項５９の血液の臨床パラメ
ータの測定装置。